(57)【要約】【課題】規定外の払い出しが防止可能となる遊技機用制御装置の提供。【解決手段】操作機２３の動作タイミングにおける所定部位の電位を監視するとともに、当該電位に基づいて当該操作機２３の異常の有無を判定する操作機異常判定手段７４Ａ  と、操作機２３に異常判定により、遊技球の入賞口への入賞を無効にする入賞無効化手段７６Ａ  とを設け、断線等で操作機２３が電源から遮断された異常状態では、操作機２３の動作タイミングにおける所定部位の電位が基準電位と異なる値を示すようにする。これにより、操作機異常判定手段７４Ａ  が操作機２３の異常状態を確実に判定するようになり、操作機２３の異常判定を受けると、入賞無効化手段７６Ａ  が入賞を無効にするので、規定外の払い出しを確実に防止できる。【選択図】    図１７
2004283206.tif 000002
【特許請求の範囲】
【請求項１】
遊技盤の遊技領域に打ち込まれた遊技球が入賞可能な入賞口と、この入賞口の直前まで達した遊技球を受けて当該入賞口へ導入する開状態及び当該入賞口の直前まで達した遊技球をそのまま通過させる閉状態の一方から他方へ変化可能に設けられた球受け部材と、前記開状態及び前記閉状態の一方から他方へ状態変化させるために前記球受け部材を駆動する操作機とを有し、
前記操作機として、前記開状態及び前記閉状態のいずれにおいても、その状態を維持するために電力を必要とせず、前記開状態及び前記閉状態の一方から他方へ移行する際には電力が必要となる状態自己保持式の操作機が採用された可変入賞口装置を制御する遊技機用制御装置であって、
前記制御装置には、
前記操作機の動作タイミングにおける所定部位の電位及び当該所定部位の流通電流の少なくとも一方を検出するとともに、その検出結果に基づいて当該操作機の異常の有無を判定する操作機異常判定手段が設けられていることを特徴とする遊技機用制御装置。
【請求項２】
遊技盤の遊技領域に打ち込まれた遊技球が入賞可能な入賞口と、この入賞口の直前まで達した遊技球を受けて当該入賞口へ導入する開状態及び当該入賞口の直前まで達した遊技球をそのまま通過させる閉状態の一方から他方へ変化可能に設けられた球受け部材と、前記開状態及び前記閉状態の一方から他方へ状態変化させるために前記球受け部材を駆動する操作機とを有し、
前記操作機として、前記開状態及び前記閉状態のいずれにおいても、その状態を維持するために電力を必要とせず、前記開状態及び前記閉状態の一方から他方へ移行する際には電力が必要となる状態自己保持式の操作機が採用された可変入賞口装置を制御する遊技機用制御装置であって、
前記制御装置には、
前記操作機の動作タイミングにおける所定部位の電位及び当該所定部位の流通電流の少なくとも一方を検出するとともに、その検出結果に基づいて当該操作機の異常の有無を判定する操作機異常判定手段と、
前記操作機異常判定手段が前記操作機に異常ありと判定すると、遊技球が前記入賞口に入っても入賞を無効にする入賞無効化手段と、
が設けられていることを特徴とする遊技機用制御装置。
【発明の詳細な説明】
【０００１】
【発明の属する技術分野】
本発明は、パチンコ機、アレンジボール機、及び、雀球遊技機等の弾球遊技機に使用される遊技機用制御装置に関する。
【０００２】
【従来の技術】
従来から、パチンコ機に代表される弾球遊技機には、一般的に、入賞口を開閉する扉部材を駆動して入賞口への入賞率を変化させる可変入賞口装置が備えられている。この可変入賞口装置の扉部材を駆動する操作機として、直動式ソレノイドが採用される場合が多い。
直動式ソレノイドは、原点位置及び作動位置の二位置間を移動自在に設けられたプランジャと、プランジャを原点位置に復帰させる弾性力を有するバネと、バネの弾性力に抗してプランジャを原点位置から作動位置に移動させる電磁力を発生するコイルとを備え、コイルの通電時にのみプランジャの位置を作動位置に保持できるものとなっている。
【０００３】
また、可変入賞口装置のなかには、アタッカーと呼ばれるもの等、大当たりの発生等により、入賞口が長時間にわたって連続的に開状態となるものがある。このような可変入賞口装置にも、前述した直動式ソレノイドが利用できる。
入賞口が長時間開状態となる可変入賞口装置に直動式ソレノイドを利用する場合、直動式ソレノイドが有するコイルへの通電時間が長くなることが予想される。このため、コイルへの導通を長時間行っても、発熱の問題や温度上昇による駆動力の低下等の問題が生じないように、熱的に余裕のある大型のソレノイドを採用する必要がある。
【０００４】
ところで、近年、パチンコ機等の弾球遊技機では、その遊技領域に設けられる液晶パネル等からなる表示装置が大型化しており、表示装置の大型化にともない、可変入賞口装置の小型化・薄型化が強く要望されているが、直動式ソレノイドを利用したのでは、直動式ソレノイドが大型化し、可変入賞口装置の小型化・薄型化が困難となるという問題が発生する。
【０００５】
このような問題を解決する一手段として、可変入賞口装置の球受け部材としての扉部材を駆動する操作機として、ラッチ式ソレノイドに代表される状態自己保持式の操作機を採用することが提案されている（例えば、特開文献１参照）。
すなわち、ラッチ式ソレノイドは、原点位置及び作動位置の二位置間を移動自在に設けられたプランジャと、プランジャを原点位置に復帰させる弾性力を有するバネと、バネの弾性力に抗してプランジャを原点位置から作動位置近傍まで移動させる電磁力を発生するコイルと、プランジャを作動位置に保持する永久磁石とを備えたものとなっている。なお、プランジャを重力方向に移動自在に設ける場合には、重力をバネの弾性力として利用することができ、このように重力を利用すれば、バネを省略することができる。
【０００６】
【特許文献１】
特開平７−１８５０７７号公報
【０００７】
このようなラッチ式ソレノイドでは、コイルに所定方向の電流を導通させ、コイルの電磁力でプランジャを作動位置近傍まで移動させると、永久磁石がプランジャを作動位置に保持するので、プランジャが作動位置近傍まで移動した後には、コイルに電流を導通させる必要がない。
また、コイルに逆方向の電流を導通させると、コイルには、前回とは逆方向の電磁力が発生し、この電磁力によって永久磁石の磁力が弱められて、バネの弾性力が永久磁石の磁力に打ち勝ち、バネの弾性力でプランジャが原点位置に戻るようになっている。なお、プランジャが原点位置近傍まで移動した後には、コイルに逆方向の電流を導通させる必要がない。
【０００８】
このようなラッチ式ソレノイドを利用すれば、プランジャを移動させるときにのみコイルに電流を流せばよいので、換言すれば、プランジャの静止時には、コイルへの電圧印加が不要となり、プランジャの動作時にのみ電圧をパルス的に印加すればよいので、コイルへの通電時間が著しく短くなり、著しい発熱が未然に防止され、小型のソレノイドの採用が可能となり、可変入賞口装置の小型化・薄型化に貢献することができる。
【０００９】
【発明が解決しようとする課題】
ところで、このようなラッチ式ソレノイド等の状態自己保持式の操作機を利用した可変入賞口装置では、操作機へ電力を送る電源線又は制御線が切断される、あるいは、電源線の端部に設けられたコネクタが引き抜かれる等により、操作機が制御装置から遮断されれば、可変入賞口装置の扉部材は、開状態及び閉状態の一方から他方に移行することができず、切断時の状態に固定されてしまう。
このため、事故等により、操作機が制御装置から遮断されると、可変入賞口装置の扉部材が開状態に固定され、イレギュラーな大当たり状態となり、規定外の払い出しが行われるおそれがあるという問題がある。
また、これを利用して、作為的に操作機を制御装置から遮断すれば、大当たり状態を不正に作り出すことができ、不正行為により、規定外の大量払い出しが行われるおそれがあるという問題がある。
【００１０】
本発明の第１の目的は、操作機と制御装置との接続異常が検出可能となる遊技機用制御装置を提供することにある。
本発明の第２の目的は、規定外の払い出しが防止可能となる遊技機用制御装置を提供することにある。
【００１１】
【課題を解決するための手段】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
【００１２】
請求項１記載の発明は、次の点を特徴とする。
すなわち、請求項１記載の発明は、遊技盤（２）の遊技領域（３）に打ち込まれた遊技球が入賞可能な入賞口（６）と、この入賞口（６）の直前まで達した遊技球を受けて当該入賞口（６）へ導入する開状態及び当該入賞口（６）の直前まで達した遊技球をそのまま通過させる閉状態の一方から他方へ変化可能に設けられた球受け部材（２１）と、前記開状態及び前記閉状態の一方から他方へ状態変化させるために前記球受け部材（２１）を駆動する操作機（２３）とを有するを有する遊技機（１）に設けられ、当該遊技機（１）の動作を制御する遊技機用制御装置（７０）であって、前記操作機（２３）として、前記開状態及び前記閉状態のいずれにおいても、その状態を維持するために電力を必要とせず、前記開状態及び前記閉状態の一方から他方へ移行する際には電力が必要となる状態自己保持式の操作機が採用され、当該制御装置（７０）には、前記操作機（２３）の動作タイミングにおける所定部位の電位及び当該所定部位の流通電流の少なくとも一方を検出するとともに、その検出結果に基づいて当該操作機（２３）の異常の有無を判定する操作機異常判定手段（７４Ａ）  が設けられていることを特徴とする。
【００１３】
このような本発明によれば、例えば、操作機（２３）が制御装置（７０）に正しく接続された正常な状態において、操作機（２３）の動作タイミングにおける所定部位の電位を計測し、得られた電位値を基準電位として予め操作機異常判定手段（７４Ａ）  に設定しておけば、操作機（２３）が制御装置（７０）から遮断された異常状態では、操作機（２３）の動作タイミングにおける所定部位の電位が基準電位と異なる値を示すので、操作機異常判定手段（７４Ａ）  は、所定部位の電位を検出した検出結果から、操作機（２３）の異常状態を正確且つ確実に判定でき、操作機（２３）が制御装置（７０）に正しく接続されていない接続異常が検出可能となる。
なお、操作機異常判定手段（７４Ａ）  に所定部位の流通電流を検出させても、操作機（２３）と制御装置（７０）との接続異常は検出可能である。
【００１４】
請求項２記載の発明は、次の点を特徴とする。
すなわち、請求項２記載の発明は、遊技盤（２）の遊技領域（３）に打ち込まれた遊技球が入賞可能な入賞口（６）と、この入賞口（６）の直前まで達した遊技球を受けて当該入賞口（６）へ導入する開状態及び当該入賞口（６）の直前まで達した遊技球をそのまま通過させる閉状態の一方から他方へ変化可能に設けられた球受け部材（２１）と、前記開状態及び前記閉状態の一方から他方へ状態変化させるために前記球受け部材（２１）を駆動する操作機（２３）とを有するを有する遊技機（１）に設けられ、当該遊技機（１）の動作を制御する遊技機用制御装置（７０）であって、前記操作機（２３）として、前記開状態及び前記閉状態のいずれにおいても、その状態を維持するために電力を必要とせず、前記開状態及び前記閉状態の一方から他方へ移行する際には電力が必要となる状態自己保持式の操作機が採用され、当該制御装置（７０）には、前記操作機（２３）の動作タイミングにおける所定部位の電位及び当該所定部位の流通電流の少なくとも一方を検出するとともに、その検出結果に基づいて当該操作機（２３）の異常の有無を判定する操作機異常判定手段（７４Ａ）  と、前記操作機異常判定手段（７４Ａ）  が前記操作機（２３）に異常ありと判定すると、遊技球が前記入賞口（６）  に入っても入賞を無効にする入賞無効化手段（７６Ａ）  とが設けられていることを特徴とする。
【００１５】
このような本発明によれば、前述の請求項１記載の発明と同様に、操作機（２３）が制御装置（７０）に正しく接続された正常な状態において、操作機（２３）の動作タイミングにおける所定部位の電位を計測し、得られた電位値を基準電位として予め操作機異常判定手段（７４Ａ）  に設定しておけば、操作機（２３）が制御装置（７０）から遮断された異常状態では、操作機（２３）の動作タイミングにおける所定部位の電位が基準電位と異なる値を示すので、操作機異常判定手段（７４Ａ）  は、所定部位の電位を検出した検出結果から、操作機（２３）の異常状態を正確且つ確実に判定でき、操作機（２３）が制御装置（７０）に正しく接続されていない接続異常が検出可能となる。そして、操作機異常判定手段（７４Ａ）  により操作機（２３）の異常判定がなされたことを受けると、入賞無効化手段（７６Ａ）  は、遊技球が入賞口（６）に入っても入賞を無効にするので、規定外の払い出しが確実に防止できるようになる。
なお、前述の請求項１記載の発明と同様に、操作機異常判定手段（７４Ａ）  に所定部位の流通電流を検出させても、操作機（２３）と制御装置（７０）との接続異常は検出可能である。
【００１６】
【発明の実施の形態】
以下、図面を参照しつつ、本発明の実施の一形態として、可変入賞口装置をパチンコ機に搭載した例を用いて説明する。
（パチンコ遊技の概要）
図１は、本実施形態におけるパチンコ機１の遊技盤２を示す正面図である。このパチンコ機１におけるパチンコ遊技は、図示しない発射装置から遊技盤２の発射レール１Ａを経て、発射レール１Ａにより区画された遊技領域３内に遊技球を発射し、この遊技球を、遊技領域３内に設けられた各入賞口５，６，６Ａに落入させる遊技を行うものである。
【００１７】
（遊技盤２の遊技領域３）
遊技盤２の遊技領域３には、図柄を変動表示可能な図柄表示装置４と、その中への入賞が図柄表示装置４に表示される図柄の変動を開始させる条件となる始動入賞口５と、図柄表示装置４に表示された図柄が所定の特別態様（例えば、ぞろ目の三つ揃い）となったことを条件に開放される大入賞口６を有する可変入賞口装置１０と、大入賞口６及び他の一般入賞口６Ａのいずれの入賞口にも入賞しなかった遊技球を回収するアウト口７と、入賞した際の遊技効果を高めるための電気装飾具３Ａと、落下する遊技球の球筋に影響を与える風車３Ｂと、所定のゲージ設定に基づいて配置された図示しない多数の釘とが設けられている。
【００１８】
（可変入賞口装置１０）
図２は、背後から見た可変入賞口装置１０を示す分解斜視図、図３は、可変入賞口装置１０を示す一部分解状態の背面図である。
可変入賞口装置１０は、パチンコ機１に設けられた遊技盤２の中央下方に配置され、前述の条件達成（図柄表示装置４の図柄が特定態様となること）により、第１の球受け部材である扉部材２１の姿勢を、通常の閉姿勢から開姿勢へ姿勢変化させ、これにより、大入賞口６への遊技球の入賞を容易にするための遊技部品である。
【００１９】
可変入賞口装置１０には、図２及び図３に示すように、大入賞口６の直前まで達した遊技球を受けて大入賞口６へ導入する開姿勢及び大入賞口６の直前まで達した遊技球をそのまま通過させる閉姿勢の一方から他方へ変化可能に設けられた扉部材２１と、扉部材２１に略整合する大入賞口６の入口となる開口が設けられたベース部材１１と、開姿勢の扉部材２１が受けた遊技球を内部に案内する通路を有するとともに、案内した遊技球をセーフ球として入賞処理する入賞処理部材８と、開姿勢及び閉姿勢の一方から他方へ姿勢変化させるために扉部材２１を駆動する操作機２３と、操作機２３の駆動力を扉部材２１に伝達する駆動力伝達部材としてのトルク伝達部材２２とが主要部品として設けられている。
【００２０】
そして、入賞処理部材８の内部には、その入賞価値が異なる特定入賞領域２Ａ及び一般入賞領域２Ｂが設けられ、これらの特定入賞領域２Ａ及び一般入賞領域２Ｂのそれぞれに入賞した遊技球を検出するために、入賞検出器１３Ａ，１３Ｂが設けられている。
また、可変入賞口装置１０には、扉部材２１、操作機２３及びトルク伝達部材２２により、大入賞口６に遊技球が入賞する確率を切り換えるための入賞確率切換機構２０が形成され、さらに、特定入賞領域２Ａ及び一般入賞領域２Ｂの一方から他方へ遊技球の流れを切り換えるために、第２の球受け部材であるシーソー部材４１が設けられ、シーソー部材４１、操作機２３及びトルク伝達部材２２により、入賞領域切換機構４０が形成されている。これらの入賞確率切換機構２０及び入賞領域切換機構４０については後で詳述する。
【００２１】
（ベース部材１１）
ベース部材１１は、ＡＢＳ樹脂やポリカーボネート（ＰＣ）等の合成樹脂により遊技盤２の表面に沿うように略平板状に形成された部材である。ベース部材１１の略中央部には、扉部材２１の外形と略整合するように方形状の開口部９が開口されている。
ベース部材１１の裏面には、図３の如く、入賞処理部材８を取り付けするために、該裏面から突出するネジ受突部１１Ａ  が左右各２箇所ずつ形成されている。
また、この裏面における開口部９の両端近傍には、上下に配置された一対の軸受突部１１Ｂ  がそれぞれ設けられている。一対の軸受突部１１Ｂ  は、その間にＵ字形の軸受凹部１１Ｃ  を形成するものである。この軸受凹部１１Ｃ  は、後述する箱部材６０に設けられている軸受当接部６０Ａ  によりＵ字の開口部分が塞がれるようになっている。扉部材２１の回動軸２１Ａ  を軸受凹部１１Ｃ  の内部に収納した状態で、箱部材６０をベース部材１１に取り付け、軸受凹部１１Ｃ  を軸受当接部６０Ａ  で塞ぐことにより、軸受当接部６０Ａ  が回動自在に支持されるようになっている。
【００２２】
（入賞処理部材８）
入賞処理部材８は、扉部材２１により受けられた遊技球を導入する大入賞口６の主要部が形成された箱部材６０と、この箱部材６０の後方に配置され大入賞口６の後壁部１２Ａ  を形成するとともに、特定入賞領域２Ａ及び一般入賞領域２Ｂが内部に形成されている通路形成部材１２と、大入賞口６に入賞した遊技球の誘導を行う遊技球誘導部６１と、を主体として構成されたものである。
【００２３】
（箱部材６０）
箱部材６０は、内部がおおよそ三つの部分に仕切られた箱状の部材である。
三つの部分のうち、箱部材６０の中央に配置された部分は、特定入賞領域２Ａ及び一般入賞領域２Ｂと連通するとともに、内部のシーソー部材４１で特定入賞領域２Ａ及び一般入賞領域２Ｂの一方へ遊技球を導く遊技球誘導部６１となっている。
残りの部分のうち、箱部材６０の図２中右側に配置された部分は、入賞確率切換機構２０のトルク伝達部材２２を収納するための収納部６２とされ、その反対側である、箱部材６０の図２中左側に配置された部分は、入賞領域切換機構４０のトルク伝達部材２２を収納するための収納部６３となっている。
【００２４】
ここで、収納部６２，６３には、トルク伝達部材２２の端部に設けられたホゾ部２５を回動自在に支持するＵ字形の凹部６４が形成されている。
この凹部６４は、内部にトルク伝達部材２２のホゾ部２５を収納した状態で、その開口側が通路形成部材１２に突設された抜け止め部１４に塞がれるようになっている。これにより、トルク伝達部材２２のホゾ部２５は、凹部６４と抜け止め部１４とに囲まれて、回動自在に支持されるようになっている。
【００２５】
また、図２及び図３中、箱部材６０の両端部分には、外側へ延在する鍔状の耳部６５が設けられている。図２及び図３中、箱部材６０の左方の耳部６５には、入賞確率切換機構２０の操作機２３であるラッチングソレノイドがブラケット６６を介して取り付けられるようになっており、その反対側となる、箱部材６０の右方の耳部６５には、入賞領域切換機構４０の操作機２３であるラッチングソレノイドがブラケット６６を介して取り付けられるようになっている。
【００２６】
箱部材６０の下端縁に沿って延びる枠状部６７には、シーソー部材４１の回動軸４１Ａ  を受ける軸受穴６８と、リンク部材４２の回動軸４２Ａ  を受ける軸受穴６９とが設けられている。一方、通路形成部材１２側にも、箱部材６０側の軸受穴６８，６９に応じた位置に図示しない軸受穴が設けられている。
これにより、シーソー部材４１及びリンク部材４２は、箱部材６０及び通路形成部材１２に揺動自在に支持されるようになっている。
【００２７】
入賞検出器１３Ａ，１３Ｂは、特定入賞領域２Ａ、一般入賞領域２Ｂに遊技球が入賞したことを検出するための検出器であり、近傍を遊技球が通過することにより変化する磁束密度を検出するコイルを備えた電磁式のものである。
なお、入賞検出器１３Ａ，１３Ｂとしては、近傍を遊技球が通過することにより変化する電界を検出する電界式の入賞検出器、あるいは、近傍を通過する遊技球にプランジャ等の操作部を駆動させ、これにより電気接点を開閉させる機械式の入賞検出器も採用できる。
【００２８】
（入賞確率切換機構２０）
次に、入賞確率切換機構２０について更に詳しく説明する。
入賞確率切換機構２０は、図４乃至図１６に示すように、操作機２３の駆動力で扉部材２１を開閉するものである。この入賞確率切換機構２０には、扉部材２１及び操作機２３の他に、前述の如く、操作機２３の駆動力を扉部材２１へ伝達するトルク伝達部材２２が設けられている。
【００２９】
図２及び図３の如く、扉部材２１は、平たい方形状の部材であり、開状態において、遊技球を大入賞口６の内部へ導入するものとなる一方、閉状態において、大入賞口６を塞ぎ、遊技球の大入賞口６への導入を阻止するものとなっている。
扉部材２１の図２及び図３中右側の回動軸２１Ａ  には、図４乃至図１１に示すように、当該回動軸２１Ａ  の径方向外側へ延びるＵ字形の係合部２６が設けられている。
【００３０】
本実施形態では、操作機２３としてラッチングソレノイドを採用している。操作機２３であるラッチングソレノイドは、図示しない永久磁石及びコイルを内蔵するソレノイド本体２３Ｂ  と、このソレノイド本体２３Ｂ  に進退可能に設けられた、前述のプランジャ２３Ａ  と、このプランジャ２３Ａ  を前進方向へ付勢する圧縮コイルスプリング２３Ｃ  と、プランジャ２３Ａ  の先端部分に一体成形された係合鍔部２３Ｄ  とを有するものとなっている。
【００３１】
ここで、操作機２３は、そのソレノイド本体２３Ｂ  に所定の電圧が印加されると、ソレノイド本体２３Ｂ  が圧縮コイルスプリング２３Ｃ  の弾性力に抗してプランジャ２３Ａ  を所定の後退位置まで後退させるものである。
そして、プランジャ２３Ａ  は、ソレノイド本体２３Ｂ  内部の永久磁石に吸着され、ソレノイド本体２３Ｂ  に印加された電圧が解除されても、当該後退位置に留まるようになっている。
【００３２】
換言すると、操作機２３は、扉部材２１の開状態及び閉状態のいずれにおいても、その状態を維持するために電力を必要とせず、開状態及び閉状態の一方から他方へ移行する際には電力が必要となる状態自己保持式の操作機となっている。
【００３３】
一方、操作機２３は、そのソレノイド本体２３Ｂ  に所定の逆電圧が印加されると、プランジャ２３Ａ  は、ソレノイド本体２３Ｂ  内部の永久磁石の吸着から開放され、圧縮コイルスプリング２３Ｃ  の弾性力により、所定の前進位置まで前進するようになっている。
そして、プランジャ２３Ａ  は、圧縮コイルスプリング２３Ｃ  に付勢され、印加された逆電圧が解除されても、当該前進位置に留まるようになっている。
【００３４】
この際、プランジャ２３Ａ  を付勢する圧縮コイルスプリング２３Ｃ  は、プランジャ２３Ａ  が前進位置に配置された状態において、本来の長さよりも短い状態とされている。換言すれば、圧縮コイルスプリング２３Ｃ  は、作動の際にガタが生じないように、予め圧縮変位が加えられた、プリロード状態にされて入賞確率切換機構２０に組み込まれている。
【００３５】
前述の如く、トルク伝達部材２２は、図４乃至図１４に示すように、駆動力を発生する操作機２３側に係合する入力端部材２２Ａ  と、被駆動部位である扉部材２１側に係合する出力端部材２２Ｂ  と、入力端部材２２Ａ  及び出力端部材２２Ｂ  を相互に連結する弾性体２２Ｃ  とを有するものである。
【００３６】
入力端部材２２Ａ  は、円形に形成された環状部２７と、この環状部２７の中央に形成された挿通孔２８と、環状部２７の径方向外側へ延びる一対の係合突起２９とを備えたものである。
一対の係合突起２９の各先端には、環状部２７の中心軸の方向に延びる係合指部２９Ａ  が設けられている。そして、これらの係合指部２９Ａ  の間に、操作機２３のプランジャ２３Ａ  先端に形成された係合鍔部２３Ｄ  を係合することで、操作機２３がプランジャ２３Ａ  を前進させるときに発生する前進駆動力及びプランジャ２３Ａ  を後退させるときに発生する後退駆動力の両方が入力端部材２２Ａ  に伝達されるようになっている。
【００３７】
出力端部材２２Ｂ  は、入力端部材２２Ａ  の挿通孔２８に挿通される軸部３０と、軸部３０の径方向外側へ延びる係合腕部３１とを備えたものである。ここで、挿通孔２８の内径は、その内部に挿通される軸部３０の外径よりも若干大きく設定されている。
係合腕部３１の先端には、軸部３０の軸方向に延びる係合ピン３２が設けられている。この係合ピン３２は、扉部材２１の回動軸２１Ａ  に設けられたＵ字形の係合部２６のＵ字の間に配置されている。
これにより、出力端部材２２Ｂ  が図１０及び図１１中反時計方向に回動すると、扉部材２１は閉鎖され、出力端部材２２Ｂ  が図１０及び図１１中時計方向に回動すると、扉部材２１は開放されるようになっている。
【００３８】
弾性体２２Ｃ  は、図４の如く、ピアノ線等の線状の金属弾性体をコイル状に巻いたねじりバネである。弾性体２２Ｃ  には、その端部をＵ字状の鉤形に折り曲げることにより、一対の係止部３３が形成されている。
一対の係止部３３の一方は、入力端部材２２Ａ  に一対設けられた係合突起２９の一方に係止され、係止部３３の他方は、出力端部材２２Ｂ  に設けられた係合腕部３１に係止されている。
これにより、入力端部材２２Ａ  に加えられたトルクは、弾性体２２Ｃ  によって出力端部材２２Ｂ  に伝達されるようになっている。そして、これらの入力端部材２２Ａ  、出力端部材２２Ｂ  及び弾性体２２Ｃ  が、操作機２３のトルクを扉部材２１へ伝達するトルク伝達機構として機能するようになっている。
【００３９】
すなわち、操作機２３が非駆動状態（図１０参照）から駆動状態（図１１参照）へ移行すると、操作機２３のプランジャ２３Ａ  と当接している入力端部材２２Ａ  が、ホゾ部２５を回動軸として所定角度回動し、この回動変位によって、一端が入力端部材２２Ａ  に係止されている弾性体２２Ｃ  が反ねじり方向（図１０（Ａ）及び図１１（Ａ）における反時計方向）に回転するようになっている。そして、この回転により弾性体２２Ｃ  の他端に形成された係止部３３が回動変位して出力端部材２２Ｂ  を回転させ、出力端部材２２Ｂ  と係合する扉部材２１が開放状態へ移行するようになっている。
【００４０】
なお、本実施形態では、図１０（Ａ）及び図１１（Ａ）の如く、入力端部材２２Ａ  に設けられた係合突起２９の他方の側面に、出力端部材２２Ｂ  の係合腕部３１に当接して、弾性体２２Ｃ  の反ねじり方向への移動を規制する当接突起３４が設けられている。この当接突起３４により、弾性体２２Ｃ  を介装する際に、予めねじり方向に変位を与える（プリロード状態にする）ことが可能となっている。これにより、扉部材２１の開閉動作の安定化が図られている。
【００４１】
このような入賞確率切換機構２０は、操作機２３のプランジャ２３Ａ  が前進すると、図１０（Ａ）及び（Ｂ）の如く、トルク伝達部材２２が図１０（Ａ）中時計方向に回動して、扉部材２１の係合部２６を押し下げ、これにより、扉部材２１を閉鎖状態にするように構成されている。
一方、入賞確率切換機構２０は、操作機２３のプランジャ２３Ａ  が後退すると、図１１（Ａ）及び（Ｂ）の如く、トルク伝達部材２２が図１１（Ａ）中反時計方向に回動して、扉部材２１の係合部２６を押し上げ、これにより、扉部材２１を開放状態にするように構成されている。
【００４２】
（入賞領域切換機構４０）
続いて、入賞領域切換機構４０について更に詳しく説明する。
入賞領域切換機構４０は、図１２乃至図１４に示すように、操作機２３の駆動力で、シーソー部材４１を揺動して、その傾斜方向を変更するものである。この入賞領域切換機構４０には、シーソー部材４１及び操作機２３の他に、前述の如く、揺動自在に設けられたリンク部材４２及びトルク伝達部材２２を含んで構成された伝達装置４３が設けられている。
なお、入賞領域切換機構４０のトルク伝達部材２２及び操作機２３は、入賞確率切換機構２０のトルク伝達部材２２及び操作機２３と同様の構造であるので、その詳しい説明を省略する。
【００４３】
図１３及び図１４の如く、シーソー部材４１は、略平板状の本体４５の底面に、当該底面から突出する補強リブ４６を一体成形した断面Ｔ字形のものであり、図１３（Ｂ）及び図１４（Ｂ）に示すように、シーソー部材４１は、その上面が図１３（Ｂ）中斜め左上方を向いた傾斜状態において、遊技球を一般入賞領域２Ｂへ導入する一方、その上面が図１４（Ｂ）中、斜め左上方を向いた傾斜状態において、遊技球を特定入賞領域２Ａへ導入するものとなっている。
【００４４】
シーソー部材４１に設けられた補強リブ４６の両側面には、前述した回動軸４１Ａ  がそれぞれ突設されている。これらの回動軸４１Ａ  は、補強リブ４６の長手方向中央部分に配置されている。また、補強リブ４６は、回動軸４１Ａ  の図１３（Ｂ）中、回動軸４１Ａ  の右側に開口された係合孔４７を備えている。
【００４５】
リンク部材４２は、図１３（Ｂ）及び図１４（Ｂ）に示すように、回動軸４２Ａ  が突設された部分から両側に延びる一対の腕部４８Ａ，４８Ｂを備えたものである。
このうち、トルク伝達部材２２側へ延びる腕部４８Ａ  は、図１２にも示すように、その先端部分に設けられるとともに、Ｕ字形に形成された係合部４９を備えたものである。このＵ字形に形成された係合部４９のＵ字の間には、トルク伝達部材２２の係合ピン３２が配置され、これにより、係合部４９及び係合ピン３２が互いに係合するようになっている。
【００４６】
一方、シーソー部材４１側へ延びる腕部４８Ｂ  は、図１３（Ｂ）及び図１４（Ｂ）に示すように、シーソー部材４１の係合孔４７に挿通されて、当該シーソー部材４１と係合する係合ピン５０を備えたものとなっている。
【００４７】
このような入賞領域切換機構４０は、操作機２３のプランジャ２３Ａ  が前進すると、図１３（Ａ）及び（Ｂ）の如く、トルク伝達部材２２が図１３（Ａ）中反時計方向に回動して、リンク部材４２の係合部４９を押し下げ、これにより、リンク部材４２の係合ピン５０が押し上げられ、シーソー部材４１の上面が、図１３（Ｂ）の如く、斜め左上方を向いた傾斜状態となるように構成されている。
一方、入賞領域切換機構４０は、操作機２３のプランジャ２３Ａ  が後退すると、図１４（Ａ）及び（Ｂ）の如く、トルク伝達部材２２が図１４（Ａ）中時計方向に回動して、リンク部材４２の係合部４９を押し上げ、これにより、リンク部材４２の係合ピン５０が押し下げられ、シーソー部材４１の上面が、図１４（Ｂ）の如く、斜め右上方を向いた傾斜状態となるように構成されている。
【００４８】
次に、トルク伝達部材２２及び操作機２３の緩衝動作について詳しく説明する。
まず、操作機２３のプランジャ２３Ａ  を後退させる際の緩衝動作について説明する。図１５（Ａ）に示すように、操作機２３の係合鍔部２３Ｄ  が前進位置Ａに、トルク伝達部材２２の係合腕部３１が角度位置αにあるときに、操作機２３のソレノイド本体２３Ｂ  に所定の電圧を印加し、係合腕部３１を角度位置βに向かって移動する際に、遊技球のかみ込み等の障害が瞬間的に発生したとする。
【００４９】
ここで、障害により扉部材２１の動作が停滞しても、弾性体２２Ｃ  がねじり変位して、操作機２３の駆動力を蓄えるので、扉部材２１の動作状況とは関係なく、操作機２３は、所定の動作を、所定のタイミングで完了することができる。すなわち、図１５（Ｂ）に示すように、所定電圧の印加によってソレノイド本体２３Ｂ  に駆動力が発生すれば、この駆動力により、扉部材２１の動作状況とは関係なく、係合鍔部２３Ｄ  は、後退位置Ｂまで後退する。
一方、遊技球のかみ込み等の障害が発生したために、トルク伝達部材２２の係合腕部３１は、角度位置αから移動できず、角度位置αに留まる、あるいは、図１５（Ｃ）に示すように、角度位置βに到達できず、角度位置βよりも手前の角度位置γに停止していたとしても、障害が解消されると、ねじり変位した弾性体２２Ｃ  が、その弾性復元力で係合腕部３１を駆動するので、係合腕部３１は、図１５（Ｄ）に示すように、角度位置βに到達する。
【００５０】
次いで、操作機２３のプランジャ２３Ａ  を前進させる際の緩衝動作について説明する。図１６（Ａ）に示すように、操作機２３の係合鍔部２３Ｄ  が後退位置Ｂに、トルク伝達部材２２の係合腕部３１が角度位置βにあるときに、操作機２３のソレノイド本体２３Ｂ  に所定の逆電圧を印加し、係合腕部３１を角度位置αに向かって移動する際に、遊技球のかみ込み等の障害が瞬間的に発生したとする。
すると、図１６（Ｂ）に示すように、所定逆電圧の印加によってソレノイド本体２３Ｂ  に駆動力が発生するが、障害により、この駆動力では、係合鍔部２３Ｄ  は、前進位置Ａまで前進できず、後退位置Ａ及び後退位置Ｂの中間位置である位置Ｃに瞬間的に停止してしまう。これにより、係合腕部３１は、角度位置αに到達できず、角度位置αよりも手前の角度位置δに瞬間的に停止する。この状態において、操作機２３の圧縮コイルスプリング２３Ｃ  には、充分な大きな弾性力が残っている。
この後、遊技球のかみ込み等の障害が解消されると、既に、ソレノイド本体２３Ｂ  の駆動力は、消滅しているが、圧縮コイルスプリング２３Ｃ  に残っている弾性力により、図１６（Ｃ）に示すように、係合鍔部２３Ｄ  は、前進位置Ａまで前進し、これにより、係合腕部３１が角度位置αに到達する。
【００５１】
（制御装置７０）
以上のようなパチンコ機１においては、可変入賞口装置１０を含む遊技盤２の動作を制御するために制御装置７０が設けられている。この制御装置７０は、図示しないＣＰＵ、ＲＯＭ、ＲＡＭ、Ｉ／Ｏ等から構成された制御回路基板７０Ａ  と、電源供給装置８０とを主体として構成されており、パチンコ遊技における図柄変動制御、特別遊技動作制御、及び、操作機２３の動作制御の各々を行えるようになっている。
以下に、制御装置７０における操作機２３の動作制御について説明する。
【００５２】
図１７は、制御装置７０における操作機２３の動作制御部位の概略構成を示すブロック図である。図１７において、制御装置７０は、電源供給装置８０から電力の供給を受け、当該電力で可変入賞口装置１０に設けられた操作機２３の動作制御を行うものとなっている。
ここで、電源供給装置８０には、パチンコ機１に設けられた受電端子の電圧を常に監視し、停電等によりパチンコ機１が電源から遮断されたこと、すなわち、電断が生じたことを検出する電断検出手段８１と、大容量のコンデンサ等の電荷を蓄える電圧安定化素子を備え、この電圧安定化素子で出力する直流電圧を安定化する電源生成手段８２とが設けられている。
【００５３】
そして、制御装置７０へは、電源生成手段８２から電力が送電されるとともに、可変入賞口装置１０に設けられた入賞検出器１３Ａ  からの遊技球カウント信号と、電断が生じたことを報知するための電断信号とが送信されるようになっている。
また、制御装置７０からは、可変入賞口装置１０の操作機２３へ開閉信号が送信されるようになっている。
【００５４】
図１８には、制御装置７０と操作機２３との電気的結線等を含む概略配線図が示されている。図１８において、操作機２３は、そのソレノイドコイル２３Ｅ  のタップ２３Ｆ  を外部接続可能とすることにより、扉部材２１を開放方向に駆動する開放用ソレノイド２３Ｇ  と、扉部材２１を閉鎖方向に駆動する閉鎖用ソレノイド２３Ｈ  とが形成されたものである。
【００５５】
このような操作機２３は、３本の電源線、具体的には、開放用操作線９０Ａ  、閉鎖用操作線９０Ｂ  及びコモン線９０Ｃ  を介して制御装置７０に接続されている。
コモン線９０Ｃ  は、制御装置７０側の操作機電源９０Ｄ  と操作機２３側のタップ２３Ｆ  とを相互に接続するものである。
【００５６】
開放用操作線９０Ａ  は、制御装置７０側の第１ドライバ９１と、操作機２３側のソレノイドコイル２３Ｅ  の一端２３Ｉ  とを相互に接続している。これにより、第１ドライバ９１に開放信号が入力されると、ソレノイドコイル２３Ｅ  の一端２３Ｉ  が接地され、制御装置７０側の操作機電源９０Ｄ  から開放用ソレノイド２３Ｇ  へ電流が流れ、扉部材２１が開放方向に駆動されるようになっている。
【００５７】
閉鎖用操作線９０Ｂ  は、制御装置７０側の第２ドライバ９２と、操作機２３側のソレノイドコイル２３Ｅ  の他端２３Ｊ  とを相互に接続している。これにより、第２ドライバ９２に閉鎖信号が入力されると、ソレノイドコイル２３Ｅ  の他端２３Ｊ  が接地され、制御装置７０側の操作機電源９０Ｄ  から閉鎖用ソレノイド２３Ｈ  へ電流が流れ、扉部材２１が閉鎖方向に駆動されるようになっている。
【００５８】
ここで、制御装置７０には、閉鎖用の第２ドライバ９２側に接続されるソレノイドコイル２３Ｅ  の他端２３Ｊ  の電位を監視し、この電位に基づいて操作機２３の異常の有無を判定する操作機異常判定手段７４Ａ  が設けられている。この操作機異常判定手段７４Ａ  については、後で詳述する。
【００５９】
また、制御装置７０には、操作機２３の異常を報知するために、異常報知ランプ７７や図示しない異常報知ブザーを有する警報報知手段が接続されている。
図１８においては、制御装置７０に異常報知ランプ７７が２本の操作線７８を介して接続されている。信号線７８の一方は、制御装置７０に設けられた第３ドライバ９３と異常報知ランプ７７とを相互に接続するものであり、信号線７８の他方は、制御装置７０に設けられたランプ電源９４と異常報知ランプ７７とを相互に接続するものである。これにより、操作機２３の異常を知らせる異常信号が第３ドライバ９１に入力されると、第３ドライバ９１が遮断状態から導通状態へ移行し、異常報知ランプ７７が点灯するようになっている。
【００６０】
なお、前述した入賞検出器１３Ａ  は、２本の信号線９５を介して制御装置７０に接続されている。信号線９５の一方は、制御装置７０に設けられたセンサ電源９６と入賞検出器１３Ａ  とを相互に接続するものとなっている。これにより、遊技球が入賞検出器１３Ａ  を通過する毎に、入賞検出器１３Ａ  が励起され、入賞検出器１３Ａ  からパルス状の遊技球カウント信号が制御装置７０のカウント入力へ送出されるようになっている。
また、図示省略するが、入賞検出器１３Ｂ  についても入賞検出器１３Ａ  と同様の接続が行われている。
【００６１】
図１７に戻って、制御装置７０には、電断が生じると電断に対処する電断処理を行う電断処理手段７１と、電断が発生した後電源が復帰すると電断復帰に対処する復帰処理を行う電断復帰処理手段７２と、遊技情報を記憶するための遊技情報記憶手段７３と、操作機の異常を判定して所定の処理を行う操作機異常判定処理手段７４と、通常の遊技における操作機２３の駆動制御を行う通常時駆動手段７５と、遊技球が入賞口５，６，６Ａに入賞すると賞球の払い出し処理等を行う入賞・賞球処理手段７６とが設けられている。
【００６２】
電断処理手段７１は、電源供給手段８０の電断検出手段８１が電断を検出すると、操作機２３の状態に関する状態情報を遊技情報記憶手段７３に書き込む遊技情報書き込み手段７１Ａ  と、同様に、電源供給手段８０の電断検出手段８１が電断を検出すると、扉部材２１を閉じる方向に操作機２３を駆動する電断時駆動手段７１Ｂ  とを有するものとなっている。
【００６３】
ここで、電断が生じると、電断時駆動手段７１Ｂ  により、操作機２３が閉鎖方向に駆動され、扉部材２１が強制的に閉鎖されるようになっている。
また、電断発生時において、操作機２３を駆動するための電力は、電源供給装置８０の電源生成手段８２に設けられた大容量のコンデンサによって供給されるようになっている。なお、電断発生時に操作機２３を駆動させる電力は、専用のバックアップ・キャパシタを設け、このバックアップ・キャパシタから供給するようにしてもよい。
【００６４】
電断復帰処理手段７２は、電断が復帰して電源電圧が所定レベルまで立ち上がると、遊技情報記憶手段７３に書き込まれた遊技情報を読み込む遊技情報読み込み手段７２Ａ  と、この遊技情報読み込み手段７２Ａ  が読み込んだ遊技情報が正しいか否か確認する記憶内容確認手段７２Ｂ  と、電断復帰時において、遊技情報読み込み手段７２Ａ  が読み込んだ遊技情報に含まれる操作機２３の状態情報に応じて操作機２３を駆動する復帰時駆動手段７２Ｃ  とを有するものとなっている。
【００６５】
ここで、扉部材２１が開いた状態で電断が生じると、操作機２３が開状態であるという状態情報が記憶内容確認手段７２Ｂ  に記憶され、この後、操作機２３が閉鎖方向に駆動され、扉部材２１が強制的に閉鎖されるようになっている。そして、電断が復帰すると記憶内容確認手段７２Ｂ  に記憶された、操作機２３が開状態であるという状態情報に応じて、復帰時駆動手段７２Ｃ  が操作機２３を開放方向に駆動する開放信号を送信し、扉部材２１を開くようになっている。
【００６６】
反対に、扉部材２１が閉じた状態で電断が生じると、操作機２３が閉状態であるという状態情報が記憶内容確認手段７２Ｂ  に記憶されるようになっている。そして、電断が復帰すると、記憶内容確認手段７２Ｂ  に記憶された、操作機２３が閉状態であるという状態情報に応じて、復帰時駆動手段７２Ｃ  が操作機２３を閉鎖方向に駆動する閉鎖信号を送信するようになっている。これにより、誤動作等により扉部材２１が開いていても、電断復帰時に扉部材２１が必ず閉じられるようになっている。
【００６７】
遊技情報記憶手段７３は、半導体記憶素子であるＲＡＭを含んで構成され、前述のように、電源供給手段８０の電断検出手段８１が電断を検出すると、遊技情報書き込み手段７１Ａ  により操作機２３の状態に関する状態情報が書き込まれ、当該状態情報を記憶するものとなっている。
また、遊技情報記憶手段７３は、電断が生じても、記憶した情報が揮発しないように、バックアップ・キャパシタ、あるいは、電池により電源がバックアップされている。
【００６８】
操作機異常判定処理手段７４は、操作機２３の動作タイミングにおける所定部位の電位を監視するとともに、当該電位に基づいて当該操作機２３の異常の有無を判定する操作機異常判定手段７４Ａ  と、操作機２３の異常を報知するために異常報知ランプ７７を点灯させる異常報知装置駆動手段７４Ｂ  とが設けられている。
【００６９】
操作機異常判定手段７４Ａ  は、前述のように、閉鎖方向に動作する閉動作タイミングにおいて、第２ドライバ９２側に接続される操作機２３の他端２３Ｊ  における電位を所定電位として監視するものである。
操作機異常判定手段７４Ａ  には、図１８の如く、他端２３Ｊ  における電位の分圧及びフィルタリングを行う分圧・フィルタ回路７４Ｂ  と、他端２３Ｊ  における電位を基準電位と比較する比較回路７４Ｃ  とが設けられている。
【００７０】
分圧・フィルタ回路７４Ｂ  は、他端２３Ｊ  における電位を分圧する二つの直流抵抗器７４Ｄ，  ７４Ｅと、当該電位のフィルタリングを行うためのコンデンサ７４Ｆ  とを備えたものである。
【００７１】
比較回路７４Ｃ  は、二つの入力端を有するコンパレータ７４Ｇ  を備えたものである。コンパレータ７４Ｇ  の入力端のうち、一方には他端２３Ｊ  における電位が入力され、他方に基準電位が入力されたものとなっている。
ここで、基準電位は、操作機２３が操作機電源９０Ｄ  （制御装置７０）に正しく接続された正常な状態において、操作機２３の閉動作タイミングにおける他端２３Ｊ  の電位を計測して得たものであり、予め設定されている。
【００７２】
そして、閉鎖用操作線９０Ｂ  又はコモン線９０Ｃ  の切断、若しくは、コネクタの抜け等により、閉鎖用ソレノイド２３Ｈ  が操作機電源９０Ｄ  側から遮断されると、他端２３Ｊ  の電位が通常時よりも低下し、操作機異常判定手段７４Ａ  により、操作機２３に異常ありと判定され、異常信号が出力されるようになっている。
【００７３】
通常時駆動手段７５は、遊技における通常状態において、操作機２３の動作させるものであり、電断発生時、電断復帰時及び操作機２３の異常発生時等の異常状態においては、その動作を休止するようになっている。
【００７４】
入賞・賞球処理手段７６は、遊技における通常状態において、始動入賞口５，大入賞口６及び一般入賞口６Ａのそれぞれに遊技球が入賞したことに応じ、抽選処理及び賞球の払い出し処理を行うものである。
大入賞口入賞無効化手段７６Ａ  は、大入賞口６への入賞を無効化する入賞無効化手段であり、操作機異常判定手段７４Ａ  から操作機２３の異常信号を受信すると、入賞検出器１３Ａ  から送信されてくる遊技球カウント信号を無視し、大入賞口６への入賞を無効にするようになっている。
【００７５】
次に、本実施形態に係るパチンコ機１の動作について、図１９ないし図２３に示されるフローチャートを参照しつつ説明する。
図１９は、パチンコ機１の遊技動作全体についての概略を説明するためのフローチャートである。図２０は、パチンコ機１の初期設定処理を説明するためのフローチャートである。図２１は、パチンコ機１の電断チェック処理を説明するためのフローチャートである。図２２は、パチンコ機１のソレノイドチェック処理を説明するためのフローチャートである。図２３は、パチンコ機１の入賞口チェック処理を説明するためのフローチャートである。
【００７６】
図１９において、システム１を起動すると、電断復帰処理を含む初期設定処理（ステップＳ１０００〜）、電断処理を含む電断チェック処理（ステップＳ２０００〜）、操作機２３の異常判定処理を含むソレノイドチェック処理（ステップＳ３０００〜）、大入賞口６の入賞を無効化する処理を含む入賞口チェック処理（ステップＳ４０００〜）、図柄表示装置の制御処理等を含む図柄変動処理（ステップＳ５０００〜）、及び、特別遊技における制御処理等を含む特別遊技実行確認処理を順次行うメインルーチンが開始される。
以下に、初期設定処理、電断チェック処理、ソレノイドチェック処理及び入賞口チェック処理について順次説明していく。
なお、図柄変動処理及び特別遊技実行確認処理については、通常の弾球遊技機において採用されている普通の処理であるので、その説明を省略する。
【００７７】
ダウンしていたシステム１を起動して最初に行われる初期設定処理では、図２０に示すように、最初のステップＳ１０００において、電断前に遊技情報記憶手段７３（ＲＡＭ）に記憶された遊技情報が読み込まれ、所定の処理が完了するまで、演算用のメモリーに一時的に保持される。なお、工場出荷時の状態等、電断前における遊技情報が遊技情報記憶手段７３に記憶されていない場合には、ＲＯＭ等に記憶されたデフォルト値が遊技情報として読み込まれる。遊技情報記憶手段７３からは、遊技情報そのものと、当該遊技情報をチェックするためのチェクサムとが読み込まれるようになっている。
【００７８】
遊技情報の読み込みが完了すると、ステップＳ１１００へ進む。ステップＳ１１００では、遊技情報記憶手段７３に記憶された遊技情報と、演算用のメモリーに一時的に保持された遊技情報とを比較するベリファイ処理が行われる。このベリファイ処理において、チェックサムを含めて両者が一致する、いわゆる「ＯＫ」となる場合には、ステップＳ１３００へ進み、逆に、両者が不一致となる、いわゆる「ＮＧ」となる場合には、ステップＳ１２００へ進む。
【００７９】
ステップＳ１２００では、ステップＳ１１００において遊技情報に異常が認められると判断されたので、遊技情報記憶手段７３（ＲＡＭ）に記憶された情報をクリアした後、ステップＳ１２１０へ進む。
ここで、ステップＳ１２００において、遊技情報記憶手段７３（ＲＡＭ）の情報をクリアした際に、Ｉ／Ｏインターフェースの設定もクリアされるので、ステップＳ１２１０では、Ｉ／Ｏインターフェースの設定を再度行う。
前述のように遊技情報に異常があると、パチンコ機１の遊技状態はバックアップされていないこととなる。このため、ステップＳ１２１０でＩ／Ｏインターフェースの再設定が完了したら、パチンコ機１を遊技開始時の通常状態、すなわち、操作機２３を強制的に閉鎖状態とする必要があるので、ステップＳ１２１０での処理が完了した後、操作機２３を閉鎖状態にするためにステップＳ１５００へ進む。
【００８０】
ステップＳ１３００では、遊技情報記憶手段７３に記憶された遊技情報のうち、操作機２３の状態情報に基づいて、操作機２３を開放する処理に進むか、閉鎖する処理に進むかのいずれかがが選択される。すなわち、電断前に、操作機２３が開放状態であれば、ステップＳ１４００に進み、逆に、電断前に、操作機２３が閉鎖状態であれば、ステップＳ１５００に進む。
【００８１】
ステップＳ１４００では、操作機２３に開放信号が送られ、この後、ステップＳ１４１０で、所定時間（ラッチングソレノイドの開放に必要なパルス時間分）が経過するまで待機してから、ステップＳ１４２０で、操作機２３への開放信号の送出を止めた後、メインルーチンへ戻る。
ステップＳ１５００では、操作機２３に閉鎖信号が送られ、この後、ステップＳ１５１０で、所定時間が経過するまで待機してから、ステップＳ１５２０で、操作機２３への閉鎖信号の送出を止めた後、メインルーチンへ戻る。
メインルーチンへ戻ると、次の電断チェック処理が開始される。
【００８２】
電断チェック処理では、図２１に示すように、最初のステップＳ２０００において、電断検出手段８１の出力信号に基づいて、電断の有無を検出する。
ここで、電断が検出されれば、次のステップＳ２１００へ進む。
ステップＳ２１００では、電断前の遊技情報を遊技情報記憶手段７３（ＲＡＭ）に書き込んで記憶（保存）し、この後ステップＳ２２００へ進む。
【００８３】
ステップＳ２２００では、操作機２３が開放状態であるか否かが検出され、操作機２３が開放状態であれば、ステップＳ２３００へ進み、操作機２３が閉鎖状態であれば、ステップＳ２４００へ進む。
ステップＳ２３００では、操作機２３に閉鎖信号を送出し、操作機２３を強制的に閉鎖状態にし、この後、ステップＳ２４００へ進み、待機状態となる。この待機状態は、電断が回復する等により、電源電圧が所定値まで復旧するまで続く。
ところで、ステップＳ２０００で、電断が検出されなければ、メインルーチンへ戻り、次のソレノイドチェック処理が行われる。
【００８４】
ソレノイドチェック処理では、図２２に示すように、最初のステップＳ３０００において、操作機異常判定手段７４Ａ  に異常があるか否か、具体的には、断線などにより閉鎖用ソレノイド２３Ｈ  が操作機電源９０Ｄ  から遮断されたか否かが検出され、遮断された場合には、ステップＳ３１００へ進む。逆に、遮断されていない場合には、操作機２３が正常であると認識し、メインルーチンへ戻り、次の入賞口チェック処理が行われる。
【００８５】
ステップＳ３１００では、異常報知ランプ７７を点灯する等により、操作機２３の異常を係員等に報知した後、次のステップＳ３１１０に進み、異常フラグをＯＮ状態にする。この異常フラグがＯＮとなった異常状態は、閉鎖用ソレノイド２３Ｈ  が操作機電源９０Ｄ  からの遮断が修理され、所定の手動操作によりリセットされるまで継続するように設定されている。
ステップＳ３１１０での処理が完了すると、メインルーチンへ戻り、次の入賞口チェック処理が行われる。
なお、制御装置７０に自動復帰機能を付与し、異常解消後、自動的に正常状態に復帰させてもよい。すなわち、先のステップＳ３０００で閉鎖用ソレノイド２３Ｈ  が操作機電源９０Ｄ  から遮断されていないと判断されると、図２２中破線で示されるように、報知装置を非作動状態（停止状態）に変化させるステップと、異常フラグをオフするステップとを実行し、これにより、異常が解消されたときに自動的に正常状態に復帰させるようにしてもよい。
【００８６】
入賞口チェック処理では、図２３に示すように、最初のステップＳ４０００において、一般入賞口６Ａへの遊技球の入賞があったか否かが検出され、一般入賞口６Ａへの入賞があった場合には、次のステップＳ４１００へ進み、一般入賞口６Ａへの入賞がない場合には、ステップＳ４１００を飛び越して、ステップＳ４２００へ進む。
ステップＳ４１００では、一般入賞口６Ａへの入賞よる賞球の払い戻しのために、賞球の残数に、一般入賞口６Ａの賞球数である「１０」を加算する処理を行う。この処理が終了したら、次のステップＳ４２００へ進む。
【００８７】
ステップＳ４２００では、始動入賞口５への遊技球の入賞があったか否かが検出され、始動入賞口５への入賞があった場合には、次のステップＳ４２００へ進み、始動入賞口５の入賞がない場合には、ステップＳ４４００へ進む。
ステップＳ４３００では、次の図柄変動処理において抽選等を行わせるために、始動口入賞フラグをＯＮにする処理を行い、この後、ステップＳ４３１０へ進む。
ステップＳ４３１０では、始動入賞口５への入賞よる賞球の払い戻しのために、賞球の残数に、始動入賞口５の賞球数である「４」を加算する処理を行う。この処理が終了したら、次のステップＳ４４００へ進む。
【００８８】
ステップＳ４４００では、先のソレノイドチェック処理で異常フラグがＯＮ状態にされたか否かが検出される。ここで、異常フラグがＯＮ状態ではない場合、操作機２３が正常であると見なされ、次のステップＳ４５００へ進み、大入賞口６への遊技球の入賞が有効扱いにされる。
すなわち、ステップＳ４５００では、大入賞口６への遊技球の入賞があったか否かが検出され、大入賞口６への入賞があった場合には、次のステップＳ４６００へ進む。そして、ステップＳ４６００では、大入賞口６への入賞よる賞球の払い戻しのために、賞球の残数に、大入賞口６の賞球数である「１５」を加算する処理を行う。
【００８９】
ステップＳ４４００で異常フラグがＯＮ状態である場合、操作機２３が異常であると見なされ、大入賞口６への入賞を無効化する無効化処理が行われ、この無効化処理が完了すると、メインルーチンへ戻り、次の図柄変動処理が開始される。
また、ステップＳ４５００で大入賞口６への遊技球の入賞がなかった場合にも、入賞処理が不要なので、メインルーチンへ戻り、次の図柄変動処理が開始され、さらに、ステップＳ４６００における処理が終了しても、メインルーチンへ戻り、次の図柄変動処理が開始される。
なお、図１９の如く、メインルーチン最後の特別遊技実行確認処理が完了すると、電断チェック処理に戻り、所定の停止処理が行われる、又は、電断が生じるまで、電断チェック処理から特別遊技実行確認処理までの処理が何度も繰り返される。
【００９０】
続いて、図２４を参照しながら、大入賞口入賞無効化手段７６Ａ  の動作を説明する。図２４は、大入賞口入賞無効化手段７６Ａ  の動作を説明するためのタイミングチャートである。図２４（Ａ）には、操作機２３が正常である場合のタイミングチャートが示され、図２４（Ｂ）には、操作機２３に異常がある場合のタイミングチャートが示されている。
【００９１】
操作機２３が正常である場合には、図２４（Ａ）の如く、時刻Ｔ１に大入賞口６に入賞した遊技球により、大当たりが終了し、時刻Ｔ３に操作機２３へ閉鎖信号が送出され、操作機２３が閉鎖状態となる。この際、操作機２３が閉鎖前の時刻Ｔ２において大入賞口６の賞球が払い出されている。
その後、抽選により大当たりとなり、時刻Ｔ４において、操作機２３へ開放信号が送出され、操作機２３が開放状態となる。これにより、扉部材２１が開くので、時刻Ｔ５，Ｔ７，Ｔ９に、次々、遊技球が大入賞口６に入賞し、時刻Ｔ６，Ｔ８，Ｔ１０  に賞球の払い出しが行われる。
【００９２】
操作機２３に異常がある場合には、図２４（Ｂ）の如く、時刻Ｔ１１  に大入賞口６に入賞した遊技球により、大当たりが終了し、時刻Ｔ１３  に操作機２３へ閉鎖信号が送出されると、操作機２３の異常が検出され、大入賞口入賞無効化手段７６Ａ  の動作が開始される。
ここで、操作機２３が異常であるため、操作機２３は閉鎖状態にはならない。なお、操作機２３に閉鎖信号が送出される前の時刻Ｔ１２  は、操作機２３の異常が検出される前なので、時刻Ｔ１２  においては、大入賞口６への入賞による賞球の払い出しが行われている。
その後、抽選により大当たりとなり、時刻Ｔ１４  において、操作機２３へ開放信号が送出されても、時刻Ｔ１４  以前から扉部材２１は開放状態であるので、外観上は何の変化の生じないが、時刻Ｔ１５，Ｔ１６，Ｔ１７  において、次々、遊技球が大入賞口６に入賞しても、大入賞口入賞無効化手段７６Ａ  により入賞が無効にされ、時刻Ｔ１３  以降には、賞球の払い出しが行われることはない。
【００９３】
前述のような本実施形態によれば、次のような効果が得られる。
すなわち、操作機２３として、ラッチングソレノイドを採用したので、電力の供給が作動時のみに限定されるようになり、一般的なソレノイドにおける発熱の問題や、消費電力の問題を未然に防止することができうえ、小型のソレノイドの採用が可能となり、可変入賞口装置の小型化・薄型化に貢献することができる。
【００９４】
また、電断を検出する電断検出手段８１と、操作機２３の状態に関する状態情報を記憶する遊技情報記憶手段７３と、電断が復帰して電源が立ち上がると、遊技情報記憶手段７３に記憶された操作機２３の状態情報に応じた駆動信号を操作機２３へ出力する復帰時駆動手段７２Ｃ  とを設けたので、電断検出手段８１が電断を検出すると、遊技情報記憶手段７３が操作機２３の状態に関する状態情報を記憶し、電断が復帰して電源が立ち上がると、遊技情報記憶手段７３に記憶された操作機２３の状態情報に応じた駆動信号を復帰時駆動手段７２Ｃ  が操作機２３へ出力することができる。
【００９５】
さらに、電断を検出する電断検出手段８１と、操作機２３の状態に関する状態情報を記憶する遊技情報記憶手段７３と、電断が復帰して電源が立ち上がると、遊技情報記憶手段７３に記憶された操作機２３の状態情報に応じた駆動信号を操作機２３へ出力する復帰時駆動手段７２Ｃ  とを設け、電断検出手段８１が電断を検出すると、遊技情報記憶手段７３が操作機２３の状態に関する状態情報を記憶したので、電断が復帰して電源が立ち上がった際に、遊技情報記憶手段７３に記憶された操作機２３の状態情報を読み込むことにより、復帰時駆動手段７２Ｃ  から操作機２３へ状態情報に応じた駆動信号を出力することができる。
【００９６】
これにより、電断中に操作機の状態変化が生じた場合でも、電断復帰後には電断発生直前の状態で遊技が再開できるようになる。換言すれば、前述のような駆動信号を操作機２３へ送出することにより、大当たり処理中に電断が発生した後、電源が復帰した際には、大当たり状態で遊技が再開され、大当たり解除処理中に電断が発生した後、電源が復帰した際には、通常遊技状態で遊技が再開されるようになり、いずれにしても、電断発生前の状態で遊技を再開することができる。
【００９７】
また、操作機２３の動作タイミングにおける所定部位の電位を監視するとともに、当該電位に基づいて操作機２３の異常の有無を判定する操作機異常判定手段７４Ａ  を設けたので、操作機２３が制御装置７０に正しく接続されていない場合には、当該電位が正常値とは異なる値を必ず示すようになることから、操作機異常判定手段７４Ａ  で操作機２３の異常状態を確実に判定することができる。
そして、操作機２３が制御装置７０に正しく接続されていない場合には、操作機２３の異常を報知するために、警報報知手段が作動し、具体的には、異常報知ランプ７７が点灯するとともに、異常報知ブザーが警報音を発するので、係員に操作機２３の異常を確実に報知することができる。
【００９８】
さらに、操作機異常判定手段７４Ａ  が操作機２３に異常ありと判定すると、遊技球の大入賞口６  への入賞を無効にする大入賞口入賞無効化手段７６Ａ  を設けたので、操作機２３の断線等の異常が発生すると、遊技球が大入賞口６に入賞しても、大入賞口入賞無効化手段７６Ａ  が当該入賞を無効にするので、規定外の払い出しを確実に防止することができる。
【００９９】
また、操作機２３として、開放用ソレノイド２３Ｇ  及び閉鎖用ソレノイド２３Ｈ  を備え、開放用操作線９０Ａ  、閉鎖用操作線９０Ｂ  及びコモン線９０Ｃ  の３本の電源線で操作されるラッチングソレノイドを採用するにあたり、閉鎖用ソレノイド２３Ｈ側の接続異常を検出するようにしたので、閉鎖用操作線９０Ｂの接続異常で開放状態に固定されてしまうラッチングソレノイドを採用しても、接続異常による損害を最小限に抑制できる。
そして、３本の電源線で操作されるラッチングソレノイドを操作機２３として採用することにより、１個の操作機電源９０Ｄ  で操作機２３を開放方向及び閉鎖方向の両方向に駆動することができるようになるので、操作機用電源を簡単な構成にすることができる。
【０１００】
なお、本発明は、前記実施形態に限定されるものではなく、本発明の目的を達成できる範囲における変形及び改良などをも含むものである。
例えば、操作機異常判定手段としては、所定部位の電位を検出するものに限らず、所定部位を流れる流通電流を検出するもの、或いは、所定部位の電位及び流通電流の両方を検出するものでもよい。
また、操作機としては、ラッチングソレノイドに限らず、回転駆動力を発生するサーボモータ、ステッピングモータ、又は、減速手段を有する単なる電動機でもよい。
【０１０１】
さらに、トルク伝達部材の弾性体としては、予めねじり方向に変位を与えられたプリロード状態でトルク伝達部材に組み込まれるものに限らず、ねじり方向の変位が全く与えられていない中立状態でトルク伝達部材に組み込まれるものでもよい。
例えば、図２５に示すように、コイル状に巻いたねじりバネである弾性体２２Ｄ  は、その端部から入力端部材２２Ａ  及び出力端部材２２Ｂ  のそれぞれに向かって真っ直ぐに延びて、一文字形に形成された一対の係止部３３Ａ  を備えたものとなっている。これらの係止部３３Ａ  は、入力端部材２２Ａ  及び出力端部材２２Ｂ  のそれぞれに形成された係止孔３３Ｂ  に挿通されて係止されるものとなっている。
このような弾性体２２Ｄ  は、入力端部材２２Ａ  及び出力端部材２２Ｂ  の間に、ねじり方向の変位が全く与えられていない中立状態で介装することができる。
すなわち、図２５の如く、弾性体２２Ｄ  に設けられた一対の係止部３３Ａ  は、これらの係止部３３Ａ  のなす中心角が１８０度となる位置に配置されている。そして、図２６（Ａ）に示すように、入力端部材２２Ａ  の係合突起２９と、出力端部材２２Ｂ  の係合腕部３１とのなす角度が１８０度となるようした状態で、入力端部材２２Ａ  及び出力端部材２２Ｂ  の間に弾性体２２Ｄ  を介装すれば、ねじり方向の変位が全く与えられていない中立状態で弾性体２２Ｄ  を介装することができる。
【０１０２】
このような弾性体２２Ｄ  を採用したトルク伝達部材２２でも、前記実施形態と同様の緩衝動作を得ることができる。
すなわち、図２６（Ａ）に示すように、操作機２３の係合鍔部２３Ｄ  が前進位置Ａに、トルク伝達部材２２の係合腕部３１が角度位置αにあるときに、操作機２３のソレノイド本体２３Ｂ  に所定の電圧を印加し、係合腕部３１を角度位置βに向かって移動する際に、遊技球のかみ込み等の障害が瞬間的に発生したとする。
【０１０３】
すると、図２６（Ｂ）に示すように、所定電圧の印加によってソレノイド本体２３Ｂ  に駆動力が発生し、この駆動力により、係合鍔部２３Ｄ  は、後退位置Ｂまで後退するが、係合腕部３１は、角度位置αから移動できず、角度位置αに一時的に留まる、あるいは、図２６（Ｃ）に示すように、角度位置βに到達できず、角度位置βよりも手前の角度位置γで瞬間的に停止する。この状態において、弾性体２２Ｄ  に充分大きな変位生じており、これにより、充分な弾性力が確保される。
【０１０４】
この後、遊技球のかみ込み等の障害が解消されると、弾性体２２Ｄ  に確保された弾性力により、係合腕部３１は、図２６（Ｄ）に示すように、角度位置βに到達する。
以上のように、弾性体２２Ｄ  を採用したトルク伝達部材２２でも、前記実施形態と同様の緩衝動作を得ることができる。
しかも、このような弾性体２２Ｄ  を採用したトルク伝達部材２２によれば、操作機２３の係合鍔部２３Ｄ  が後退位置Ｂから前進位置Ａへ移動する際にも、弾性体２２Ｄ  が前述とは逆方向へねじり変位し、これにより、弾性力を蓄えることができる。このため、弾性体２２Ｄ  を採用したトルク伝達部材２２は、図２６における時計方向及び反時計方向のいずれの方向においても、駆動力を蓄積することができ、トルクの作用方向に関係なく利用することができる。
【０１０５】
なお、弾性体２２Ｄ  に設けられた一対の係止部３３Ａ  のなす中心角を９０度とすれば、弾性体２２Ｄ  を利用したトルク伝達部材２２は、前記実施形態におけるトルク伝達部材２２として採用することもできる。
【０１０６】
また、トルク伝達部材の弾性体としては、金属弾性体をコイル状に巻いたねじりバネに限らず、他の形式の弾性体でもよく、例えば、両端が入力端及び出力端のそれぞれに回動不可能に固定された棒状の弾性体、いわゆるトーションバー式のスプリングも採用することができる。
【０１０７】
【発明の効果】
本発明は、以上のように構成されているので、以下に記載されるような効果を奏する。
（請求項１の効果）
請求項１記載の発明によれば、次のような効果を奏する。
すなわち、請求項１記載の発明によれば、例えば、操作機が制御装置に正しく接続された正常な状態において、操作機の動作タイミングにおける所定部位の電位を計測し、得られた電位値を基準電位として予め操作機異常判定手段に設定しておけば、操作機が制御装置から遮断された異常状態では、操作機の動作タイミングにおける所定部位の電位が基準電位と異なる値を示すので、操作機異常判定手段は、所定部位の電位を検出した検出結果から、操作機の異常状態を正確且つ確実に判定でき、操作機が制御装置に正しく接続されていない接続異常が検出可能となる。
なお、操作機異常判定手段に所定部位の流通電流を検出させても、操作機と制御装置との接続異常は検出可能である。
【０１０８】
（請求項２の効果）
請求項２記載の発明によれば、次のような効果を奏する。
すなわち、請求項２記載の発明によれば、前述の請求項１記載の発明と同様に、操作機が制御装置に正しく接続された正常な状態において、操作機の動作タイミングにおける所定部位の電位を計測し、得られた電位値を基準電位として予め操作機異常判定手段に設定しておけば、操作機が制御装置から遮断された異常状態では、操作機の動作タイミングにおける所定部位の電位が基準電位と異なる値を示すので、操作機異常判定手段は、所定部位の電位を検出した検出結果から、操作機の異常状態を正確且つ確実に判定でき、操作機が制御装置に正しく接続されていない接続異常が検出可能となる。
そして、操作機異常判定手段により操作機の異常判定がなされたことを受けると、入賞無効化手段は、遊技球が入賞口に入っても入賞を無効にするので、規定外の払い出しが確実に防止できるようになる。
なお、前述の請求項１記載の発明と同様に、操作機異常判定手段に所定部位の流通電流を検出させても、操作機と制御装置との接続異常は検出可能である。
【図面の簡単な説明】
【図１】本発明の一実施形態に係る遊技盤を示す正面図である。
【図２】前記実施形態に係る可変入賞口装置を示す背面図である。
【図３】前記実施形態の可変入賞口装置を示す分解斜視図である。
【図４】前記実施形態に係る扉部材廻りを示す分解斜視図である。
【図５】前記実施形態に係るトルク伝達機構を示す拡大背面図である。
【図６】前記実施形態に係るトルク伝達機構を示す拡大平面図である。
【図７】前記実施形態に係るトルク伝達部材を示す拡大正面図である。
【図８】前記実施形態に係るトルク伝達部材を示す拡大平面図である。
【図９】前記実施形態に係るトルク伝達機構を示す左側面図及び右側面図である。
【図１０】前記扉部材廻りを示す側断面及び正面図である。
【図１１】前記扉部材廻りの異なる状態を示す側断面及び正面図である。
【図１２】前記実施形態に係るシーソー部材廻りを示す分解斜視図である。
【図１３】前記シーソー部材廻りを示す側断面及び正面図である。
【図１４】前記シーソー部材廻りの異なる状態を示す側断面及び正面図である。
【図１５】前記実施形態に係るトルク伝達部材の作用を説明するための図である。
【図１６】前記トルク伝達部材の別の作用を説明するための図である。
【図１７】前記実施形態の制御装置の要部を示すブロック図である。
【図１８】前記実施形態の制御装置の要部における結線を示す概略配線図である。
【図１９】前記実施形態の遊技動作全体を説明するフローチャートである。
【図２０】前記実施形態に係る初期設定処理を説明するフローチャートである。
【図２１】前記実施形態の電断チェック処理を説明するフローチャートである。
【図２２】前記実施形態のソレノイドチェック処理を説明するフローチャートである。
【図２３】前記実施形態の入賞口チェック処理を説明するフローチャートである。
【図２４】前記実施形態の入賞無効化手段の動作を示すタイミングチャートである。
【図２５】本発明の変形例を示す分解斜視図である。
【図２６】前記変形例の作用を説明するための図である。
【符号の説明】
１  パチンコ機                      １Ａ  発射レール
２Ａ  特定入賞領域                    ２Ｂ  一般入賞領域
２  遊技盤                          ３  遊技領域
３Ａ  電気装飾具                      ３Ｂ  風車
４  図柄表示装置                    ５  始動入賞口
６  大入賞口                        ６Ａ  一般入賞口
７  アウト口                        ８  入賞処理部材
９  開口部                          １０  可変入賞口装置
１１  ベース部材                      １１Ａ  ネジ受突部
１１Ｂ  軸受突部                        １１Ｃ  軸受凹部
１２  通路形成部材                    １２Ａ  後壁部
１３Ａ，１３Ｂ      入賞検出器              １４  止め部
２０  入賞確率切換機構                ２１  扉部材
２１Ａ  回動軸                          ２２  トルク伝達部材
２２Ａ  入力端部材                      ２２Ｂ  出力端部材
２２Ｃ，  ２２Ｄ  弾性体                    ２３  操作機
２３Ａ  プランジャ                      ２３Ｂ  ソレノイド本体
２３Ｃ  圧縮コイルスプリング            ２３Ｄ  係合鍔部
２３Ｅ  ソレノイドコイル                ２３Ｆ  タップ
２３Ｇ  開放用ソレノイド                ２３Ｈ  閉鎖用ソレノイド
２３Ｉ  一端                            ２３Ｊ  他端
２５  ホゾ部                          ２６  係合部
２７  環状部                          ２８  挿通孔
２９  係合突起                        ２９Ａ    係合指部
３０  軸部                            ３１  係合腕部
３２  係合ピン                        ３３  係止部
３３Ａ  係止部                          ３３Ｂ  係止孔
３４  当接突起                        ４０  入賞領域切換機構
４１  シーソー部材                    ４１Ａ  回動軸
４２  リンク部材                      ４２Ａ  回動軸
４３  伝達装置                        ４５  本体
４６  補強リブ                        ４７  係合孔
４８Ａ  腕部                            ４８Ｂ  腕部
４９  係合部                          ５０  係合ピン
６０  箱部材                          ６０Ａ  軸受当接部
６１  遊技球誘導部                    ６２  収納部
６３  収納部                          ６４  凹部
６５  耳部                            ６６  ブラケット
６７  枠状部                          ６８，  ６９  軸受穴
７０  制御装置                        ７１  電断処理手段
７１Ａ  遊技情報書き込み手段            ７１Ｂ  電断時駆動手段
７２  電断復帰処理手段                ７２Ａ  遊技情報読み込み手段
７２Ｂ  記憶内容確認手段                ７２Ｃ  復帰時駆動手段
７３  遊技情報記憶手段                ７４  操作機異常判定処理手段
７４Ａ  操作機異常判定手段              ７４Ｂ  異常報知装置駆動手段
７４Ｂ  分圧・フィルタ回路              ７４Ｃ  比較回路
７４Ｄ，  ７４Ｅ  直流抵抗器                ７４Ｆ  コンデンサ
７４Ｇ  コンパレータ                    ７５  通常時駆動手段
７６  入賞・賞球処理手段              ７６Ａ  大入賞口入賞無効化手段
７７  異常報知ランプ                  ７８  信号線
７８  操作線                          ８０  電源供給装置
８１  電断検出手段                    ８２  電源生成手段
９０Ａ  開放用操作線                    ９０Ｂ  閉鎖用操作線
９０Ｃ  コモン線                        ９０Ｄ  操作機電源
９１  第１ドライバ                    ９２  第２ドライバ
９３  第３ドライバ                    ９４  ランプ電源
９５  信号線                          ９６  センサ電源
【図１】
2004283206.tif 000003
【図２】
2004283206.tif 000004
【図３】
2004283206.tif 000005
【図４】
2004283206.tif 000006
【図５】
2004283206.tif 000007
【図６】
2004283206.tif 000008
【図７】
2004283206.tif 000009
【図８】
2004283206.tif 000010
【図９】
2004283206.tif 000011
【図１０】
2004283206.tif 000012
【図１１】
2004283206.tif 000013
【図１２】
2004283206.tif 000014
【図１３】
2004283206.tif 000015
【図１４】
2004283206.tif 000016
【図１５】
2004283206.tif 000017
【図１６】
2004283206.tif 000018
【図１７】
2004283206.tif 000019
【図１８】
2004283206.tif 000020
【図１９】
2004283206.tif 000021
【図２０】
2004283206.tif 000022
【図２１】
2004283206.tif 000023
【図２２】
2004283206.tif 000024
【図２３】
2004283206.tif 000025
【図２４】
2004283206.tif 000026
【図２５】
2004283206.tif 000027
【図２６】
2004283206.tif 000028